(57)【要約】      （修正有）【課題】別の道具なしで爪の形のとおりに爪に付着および切断可能で、色表現のために使われた揮発性有害成分の揮発を最大限抑制するつけ爪を提供する。【解決手段】つけ爪（ネイルチップ）に関するものであって、つけ爪は、柔軟な材質の透明な固形物質が一定の厚さの面を成して弱結合した固形物層と、該固形物層の上層面に塗布し固形化した透明膜層と、前記固形物層の下層面に一つ以上の色相物質を粘着した色粘着層と、前記色粘着層の下層面に塗布した接着剤層とを含む。【選択図】図１
0003175853.tif 000002
【実用新案登録請求の範囲】
【請求項１】
柔軟な材質の透明な固形物質が一定の厚さの面を成して弱結合された固形物層と、
前記固形物層の上層面に塗布し固形化した透明膜層と、
前記固形物層の下層面に一つ以上の色相物質を粘着した色粘着層と、
および前記色粘着層の下層面に塗布した接着剤層と、
を含むつけ爪。
【請求項２】
前記透明膜層の上層面に位置して前記接着剤層が爪の上に接着する時前記透明膜層から除去される上部フィルム層をさらに具備してなることを特徴とする、請求項１記載のつけ爪。
【請求項３】
前記接着剤層の下層面に付着して前記接着剤層が爪の上に接着される時まで接着力を維持する下部フィルム層をさらに具備して成り立つのを特徴とする、請求項１記載のつけ爪。
【請求項４】
前記下部フィルム層は、前記接着剤層の剥離性を維持する離型剤を含んでなることを特徴とする、請求項３記載のつけ爪。
【請求項５】
前記接着剤層の一部に接着されて前記固形物層、透明膜層、およびインク接着層を固定支持する固定支持物をさらに具備してなることを特徴とする、請求項１記載のつけ爪。
【請求項６】
前記透明膜層は、前記固形物層の上層面に透明な液体状態で塗布されて常温で固形化することを特徴とする、請求項１記載のつけ爪。
【請求項７】
前記透明膜層は、透明な接着物質を含み、固形化する過程で空気と接する面は接着力が消失し、前記固形物層と接する面は接着力を維持して前記固形物層の結合状態を維持することを特徴とする、請求項１記載のつけ爪。
【請求項８】
前記透明膜層は、空気中で揮発する香り成分をさらに含んでなることを特徴とする、請求項１記載のつけ爪。
【請求項９】
前記固形物層は、前記透明膜層を透過して空気中で揮発する香り成分をさらに含んでなることを特徴とする、請求項１記載のつけ爪。
【請求項１０】
前記透明膜層は、空気を前記固形物層で透過させる網、またはクモの巣の形態の膜を形成し、前記固形物層は、前記透明膜層を透過する空気との接触によって硬化し、前記上部フィルム層は、前記透明膜層から除去される前まで空気が前記透明膜層を透過して前記固形物層に接触しないように遮断することを特徴とする、請求項１記載のつけ爪。
【請求項１１】
前記固形物層は、前記面の垂直方向で折れることによって前記弱結合が解除し切断されることを特徴とする、請求項１記載のつけ爪。
【請求項１２】
前記色粘着層は、安定した状態、または無毒性の蛍光物質を含んでなることを特徴とする、請求項１記載のつけ爪。
【考案の詳細な説明】
【技術分野】
【０００１】
本考案は、別途の道具なしで爪の形のとおりに爪に付着および切断可能で、色表現のために使われた揮発性有害成分の揮発を最大限抑制するつけ爪（ネイルチップ）を提供するものである。
【背景技術】
【０００２】
女性たちの爪の美容に対する欲求が増加することによって女性たちは毎日自分の爪にマニキュアを塗ってアセトンのような溶剤を利用し爪に塗ったマニキュアを除去することを繰り返している。しかし、似たような色のマニキュアを繰り返して塗ってから又除去することでは前記爪の美容欲求を充足させることができなく、このような爪の美容に対する欲求増加は、爪だけを専門的に手入れして個性のある爪の美容を取扱うネイルアートショップが活性化する契機となった。
【０００３】
ネイルアートショップは、爪の形が指定された比率を維持するように手入れするだけでなく、単純色のマニキュアの代りに爪の上に絵を描いたり宝石などを付着して個性のある爪の美容を提供している。最近では人の爪の上に直接絵を描いたり宝石などを付着する代わりに、プラスチック材質で絵や宝石などを付着した人工の爪を実際の爪の上に付着するネイルアートサービスが提供されている。
【０００４】
しかし、ネイルアートショップを利用するためには、高い費用を消耗するだけでなく、人工の爪を直接購入して自分が直接付着することも専門的な技術と知識なしでは難解な問題点を持っている。その上プラスチック材質の人工の爪は人の実際の爪に比べて簡単に毀損したり破損する問題点を持っている。かと言って、一般女性たちが自分の爪の上に絵を描いたり宝石を付着するのはより一層難解な問題点を持っている。
【考案の概要】
【考案が解決しようとする課題】
【０００５】
本考案は、上述したような従来技術の欠点を鑑みて創案したものであって、前記のような問題点を解消するための本考案の目的は、柔軟な材質の透明な固形物質が一定の厚さの面を成して弱結合した固形物層と、前記固形物層の上層面に塗布し固形化した透明膜層と、前記固形物層の下層面に一つ以上の色相物質を粘着した色粘着層と、前記色粘着層の下層面に塗布した接着剤層とを含んで便利に爪にセッティング可能な、つけ爪を提供することである。
【課題を解決するための手段】
【０００６】
本考案によるつけ爪は、柔軟な材質の透明な固形物質が一定の厚さの面を成し弱結合した固形物層と、前記固形物層の上層面に塗布し固形化した透明膜層と、前記固形物層の下層面に一つ以上の色相物質を粘着した色粘着層と、前記色粘着層の下層面に塗布した接着剤層とを含む。
【０００７】
本考案によると、前記つけ爪は、前記透明膜層の上層面に位置し前記接着剤層が爪の上に接着する時、前記透明膜層から除去される上部フィルム層と、前記接着剤層の下層面に付着し前記接着剤層が爪の上に接着する時まで接着力を維持する下部フィルム層とをさらに具備することができるし、前記下部フィルム層は前記接着剤層の剥離性を維持する離型剤を含むことができる。
【０００８】
本考案によると、前記つけ爪は、前記接着剤層の一部に接着され前記固形物層、透明膜層およびインク接着層を固定支持する固定支持物をさらに具備することができる。
【０００９】
本考案によると、前記色粘着層は、安定した状態、または無毒性の蛍光物質を含むことができる。
【００１０】
本考案によるつけ爪の製造方法は、柔軟な材質の透明な固形物質が一定の厚さの面を成して弱結合し固形物層を形成する段階と、前記固形物層の上層面に、接着物質を含む透明膜層を塗布および固形化して透明膜層を形成する段階と、前記固形物層の下層面に、一つ以上の色相物質を粘着させてインク接着層を形成する段階と、前記色粘着層の下層面に、接着剤を塗布して接着剤層を形成する段階と、前記接着剤層の下層の一部に、前記固形物層、透明膜層、およびインク接着層を含む爪の付着モジュールを固定支持する固定支持物を付着する段階と、前記固定支持物の外側に、前記接着剤層の下層面に離型剤が含まれたフィルムを付着して下部フィルム層を形成する段階と、前記透明膜層の上層面に、フィルムをのせて上部フィルム層を形成する段階と、を含む。
【００１１】
以下、本考案を添付した図面を参照しながら詳しく説明する。ただし、下記に図示する図面と後述する説明は、本考案の特徴を効果的に説明するための色々な方法の中で好もしい実施方法についてのものであり、本考案が下記の図面と説明だけで限定されるのではない。
【図面の簡単な説明】
【００１２】
【図１】本考案のつけ爪の断面を図示した図である。
【図２】本考案のつけ爪の断面を図示した図である。
【図３】本考案のつけ爪の外形を図示した図である。
【図４】本考案のつけ爪の製造過程を図示した図である。
【考案を実施するための形態】
【００１３】
図１と図２は、本考案のつけ爪の断面を図示した図である。
【００１４】
つけ爪は、透明膜層１１０、固形物層１１５、色粘着層１２０、および接着剤層１２５が順次構成された爪の付着モジュール１００を含んで構成される。前記つけ爪は、前記接着剤層１２５の一部に接着され前記爪の付着モジュール１００を固定支持する固定支持物２００をさらに含み、前記透明膜層１１０の上層面に位置して前記接着剤層１２５が爪の上に接着する時、前記透明膜層１１０で除去される上部フィルム層(105)と、前記接着剤層(125)の下層面に付着し前記接着剤層１２５が爪の上に接着する時まで接着力を維持する下部フィルム層１３０とをさらに含む。
【００１５】
前記固形物層１１５は、柔軟な材質の透明な固形物質が一定の厚さの面を成して弱結合された(Loosely Coupled)形態で作製され、前記面の垂直方向に折れることによって前記弱結合が簡単に切断される物理的特性を持つ。例えば、前記固形物層１１５は、ビスフェノールＡエポキシレジン(Bisphenol  A  Type  Epoxy  resin,CAS  No:25068-38-6)２８％、SBC(Styrene  Block  Copolymer,CAS  No:9003-55-8)１３％、ナフタ(Naphtha,  CAS  No:08030-30-6)３２％、 ブチレングリコールモノブチルエーテル(Butylene  Glycolmonobutyl  Ether,CAS  No:111-76-2)２７％で構成することができる。
【００１６】
前記透明膜層１１０は、透明な接着物質を含んで構成され、液体状態で固形物層１１５の上層面に塗布した後常温で固形化する過程を経て形成される。前記透明膜層１１０が固形化する過程で空気に露出する透明膜面は接着力が消失し、前記固形物層１１５と接触する透明膜面は前記接着物質の接着力を維持した状態で、前記固形物層１１５の結合力を増加させたり、または前記固形物層１１５を構成する物質と一部結合して前記固形物層１１５の結合力を増加させる。例えば、前記透明膜層１１０は、イソホロン(Isophorone,CAS  No:78-59-1)４０％、ガムロジン(Gum  rosin,CAS  No:8050-9-7)３０％、ビスフェノールＡエポキシレジン(Bisphenol  A  Type  Epoxy  resin,CAS  No:25068-38-6)３０％で構成することができる。
【００１７】
前記透明膜層１１０は、前記固形物層に塗布した後常温で固形化する過程で外部空気を前記固形物層１１５の一部に接触するように透過させる網、またはクモの巣の形態の膜を形成する。一方前記固形物層１１５は、前記透明膜層１１０を透過し接触する空気によって硬化する物理的特性を持つことができる。
【００１８】
もし前記固形物層１１５が空気接触により硬化する特性を持つ場合、前記爪の付着モジュール１００が爪に付着した状態で、前記固形物層１１５は前記透明膜層１１０を透過し接触する空気によって柔軟な性質を失い爪に付着した形状をそのまま維持しながら次第に固く硬化する。この場合前記上部フィルム層１０５は、前記爪の付着モジュール１００が爪に付着する前まで前記透明膜層１１０の上層面に位置して外部空気が前記透明膜を透過し前記固形物層１１５に接触できないように遮断する機能を遂行する。
【００１９】
本考案の実施方法によると、前記透明膜層１１０は空気中で揮発する香り成分をさらに含むことができる。この場合前記上部フィルム層１０５は前記爪の付着モジュール１００が爪に付着する前まで前記透明膜層１１０に含まれている香り成分が揮発して消耗しないように遮断する機能を遂行する。
【００２０】
本考案の他の実施方法によると、前記固形物層１１５は透明膜層１１０を透過して空気中で揮発する香り成分をさらに含むことができる。この場合前記上部フィルム層１０５は前記爪の付着モジュール１００が爪に付着する前まで前記固形物層１１５に含まれている香り成分が前記透明膜層１１０を透過し揮発して消耗しないように遮断する機能を遂行する。
【００２１】
前記色粘着層１２０は、前記固形物層１１５の下層面（＝前記透明膜層１１０が形成されている反対面）に一つ以上の色相物質を粘着して形成される。前記色相物質は色を持つ染料、化合物、鉱物、金属を一つ以上含み、前記固形物層１１５の下層面に粘着して前記色粘着層１２０を形成する。前記色粘着層１２０は、前記色相物質を前記固形物層１１５の下層面に一定のパターンで粘着させて視覚的に区別可能な特定の形を形成することができる。
【００２２】
本考案の実施方法によると、前記色粘着層１２０の色相物質は可視光を発する蛍光物質を含むことができる。通常の蛍光物質は励起光を作るために水銀が使われており、各種の色を作るためにタングステン酸カルシウム、ケイ酸カドミウム、ハロリン酸カルシュム、アンチモン、マンガンなどが使われるが、このような物質は全て人体に致命的な問題を起こす、非常に危険な毒性物質である。もしこのような蛍光物質をそのまま使って色粘着層１２０を構成することになると、前記毒性物質は爪を通し皮膚に浸透して各種皮膚疾患を誘発することになる。したがって前記色粘着層１２０の蛍光物質は安定した状態、または無毒性の蛍光物質で造成される。例えば、前記色粘着層１２０の蛍光物質はセラミック系列、または金属系列のナノ粒子と結合して安定した状態で造成することによって皮膚に対する侵透性を相殺させることができる。または、前記色粘着層１２０の蛍光物質は昆虫や植物から抽出した蛍光性物質を色相物質と結合する形態で造成することによって皮膚に浸透しても毒性が発現しないようにすることができる。
【００２３】
前記接着剤層１２５は、前記爪の付着モジュール１００を爪に接着させる接着剤を含み、前記色粘着層１２０の下層面に塗布する。
【００２４】
前記固定支持物２００は、前記接着剤層１２５の一部面に接着して使用者が前記接着剤層１２５の接着剤に接触しないで前記爪の付着モジュール１００を自分の爪の上にのせられるように前記爪の付着モジュール１００を固定支持する。
【００２５】
前記下層フィルム層は、前記固定支持物２００の外側で前記固定支持物２００と接着していない接着剤層１２５の残りの接着面に付着して前記接着剤層１２５が空気と接触しないように遮断し、前記下層フィルム層によって前記接着剤層１２５は前記爪の付着モジュール１００を使用者の爪の上に接着する時まで接着力となる。前記下層フィルム層は、前記接着剤層１２５から簡単に剥離されるように離型剤を含んで構成することができる。図３は本考案のつけ爪の外形を図示した図面である。
【００２６】
つけ爪は、爪の付着モジュール１００に製造した状態で前記爪の付着モジュールの接着剤層１２５の一部に固定支持物２００を付着し、前記固定支持物２００の外側に前記固定支持物２００を接着していない残りの領域に下部フィルム層１３０を付着した後、前記爪の付着モジュール１００の透明膜層１１０の上に上部フィルム層１０５を接触する形態で作製する。
【００２７】
前記の通りに作製したつけ爪は、図３のように固定支持物２００が付着した反対方向の上部フィルム層１０５、爪の付着モジュール１００および下部フィルム層１３０を一定の幅を維持して爪の内側および両側面の屈曲とマッチングするように切断して作製する。人或いは爪ごとに各爪の内側および側面の屈曲が違うので一つのつけ爪は図３のように互いに異なる幅と屈曲を持つ  N(N≧1)個のつけ爪ピース（Piece）が形成されるように切断され、それぞれのつけ爪ピースは容易に分離することができるよう前記固定支持物２００の方向に一定の長さ以上になるように切断する。
【００２８】
本考案の実施方法によると、前記つけ爪は、前記図１、または図２に図示されたつけ爪の断面をそのまま維持しながら爪の切断面の先の部分に付着して前記つけ爪の爪の切断面の部分が毀損されることを防止する毀損防止付着物をさらに含むことができる。前記毀損防止付着物は、前記つけ爪と同じ過程を経て作製されるが、ただし切断される形が爪の切断面の先の部分に付着可能な形となる。
【００２９】
本考案の実施方法によると、前記毀損防止付着物は、前記図１、または図２に図示されたつけ爪の断面の色粘着層１２０が省略されたまま透明に作製し、前記爪の切断面の先の部分に付着して前記つけ爪の爪の切断面の部分が毀損されるのを防止する。
【００３０】
図４は、本考案のつけ爪の製造過程を図示した図面である。
【００３１】
つけ爪は、つけ爪の製造装置に投入する固形物層１１５、透明膜層１１０、色粘着層１２０および接着剤層１２５を形成するそれぞれの物質が準備された状態で固形物層１１５を形成した後前記固形物層１１５にそれぞれの層を形成していく過程を通じて作製する。
【００３２】
前記つけ爪の製造装置は、柔軟な材質の透明な固形物質が一定の厚さの面を成して弱結合し固形物層１１５を形成する（Ｓ４００）。前記固形物層１１５は、前記面の垂直方向で折れることによって簡単に切断することができる。前記固形物層１１５を形成した後、前記つけ爪の製造装置は、前記固形物層１１５の上層面に接着物質を含む透明膜層１１０を塗布および固形化して透明膜層１１０を形成する（Ｓ４０５）。前記透明膜層１１０により前記固形物層１１５の結合力は増加して、前記透明膜層１１０が形成された面の方向からの外部衝撃を吸収し破損しなくなる。
【００３３】
前記固形物層１１５の上層面に透明膜層１１０が形成された後、前記つけ爪の製造装置は、前記固形物層１１５の下層面に一つ以上の色相物質を粘着させてインク接着層を形成し（Ｓ４１０）、前記色粘着層１２０の下層面に接着剤を塗布して接着剤層１２５を形成した後（Ｓ４１５）、前記接着剤層１２５の下層面の一部に前記固形物層１１５、透明膜層１１０、およびインク接着層を含む爪の付着モジュール１００を固定支持する固定支持物２００を付着し（Ｓ４２０）、前記固定支持物２００の外側で前記接着剤層１２５の下層面に離型剤が含まれているフィルムを付着して下部フィルム層１３０を形成し（Ｓ４２５）、前記透明膜層１１０の上層面にフィルムをのせて上部フィルム層１０５を形成し（Ｓ４３０）、つけ爪を製造する。前記製造したつけ爪は互いに異なる幅と屈曲を持つＮ個のつけ爪ピースが形成するように切断される。
【符号の説明】
【００３４】
１００  爪の付着モジュール
１０５  上部フィルム層
１１０  透明膜層
１１５  固形物層
１２０  色粘着層
１２５  接着剤層
１３０  下部フィルム層
２００  固定支持物
【図１】
0003175853.tif 000003
【図２】
0003175853.tif 000004
【図３】
0003175853.tif 000005
【図４】
0003175853.tif 000006